(57)【特許請求の範囲】
【請求項１】
端末と通信を行う複数の隣接する無線基地局を有する無線通信システムであって、
前記無線基地局は、
前記端末から送信された信号を受信するアンテナと、
該アンテナにて受信された信号を増幅する受信増幅手段と、
該受信増幅手段にて増幅された信号を隣接する無線基地局へ分配する分配手段と、
前記隣接する無線基地局が有する分配手段にて分配された信号と当該無線基地局が有する前記受信増幅手段にて増幅された信号とを合成して復調する復調手段とを有し、
当該無線基地局から復調された信号と、前記隣接する無線基地局から当該無線基地局が有する前記分配手段にて分配された信号と前記隣接する無線基地局が有する受信増幅手段にて増幅された信号とを合成して復調された信号とのどちらか一方を上位装置へ出力することを特徴とする無線通信システム。
【請求項２】
請求項１に記載の無線通信システムにおいて、
前記端末から送信されて当該無線基地局が有する前記アンテナにて受信された信号の受信電力が前記端末から送信されて前記隣接する無線基地局が有するアンテナにて受信された信号の受信電力よりも大きな場合、当該無線基地局から復調された信号を上位装置へ出力し、また、そうでない場合は、前記隣接する無線基地局から復調された信号を上位装置へ出力することを特徴とする無線通信システム。
【請求項３】
請求項１に記載の無線通信システムにおいて、
前記無線基地局は、前記合成された信号の受信状態に基づいて、前記端末の送信電力を制御するための制御信号を生成することを特徴とする無線通信システム。
【請求項４】
端末から送信された信号を受信するアンテナと、該アンテナにて受信された信号を増幅する受信増幅手段と、該受信増幅手段にて増幅された信号を復調する復調手段とを有する無線基地局において、
前記受信増幅手段にて増幅された信号を隣接する無線基地局へ分配する分配手段を有し、
前記復調手段は、前記隣接する無線基地局が有する分配手段にて分配された信号と当該無線基地局が有する前記受信増幅手段にて増幅された信号とを合成し、
前記端末から送信されて当該無線基地局が有する前記アンテナにて受信された信号の受信電力が前記端末から送信されて前記隣接する無線基地局が有するアンテナにて受信された信号の受信電力よりも大きな場合、当該無線基地局から復調された信号を上位装置へ出力することを特徴とする無線基地局。
【請求項５】
請求項４に記載の無線基地局において、
前記合成された信号の受信状態に基づいて、前記端末の送信電力を制御するための制御信号を生成することを特徴とする無線基地局。
【請求項６】
端末と複数の隣接する無線基地局とにおいて通信を行う無線通信方法であって、
前記端末から送信されて前記無線基地局にて受信された信号を増幅する処理と、
前記増幅された信号を隣接する無線基地局へ分配する処理と、
前記隣接する無線基地局にて分配された信号と当該無線基地局にて増幅された信号とを合成する処理と、
前記合成された信号を復調する処理と、
当該無線基地局と前記隣接する無線基地局とのどちらか一方から復調された信号を上位装置へ出力する処理とを有する無線通信方法。
【請求項７】
請求項６に記載の無線通信方法において、
前記端末から送信されて当該無線基地局にて受信された信号の受信電力が前記端末から送信されて前記隣接する無線基地局にて受信された信号の受信電力よりも大きな場合、当該無線基地局から復調された信号を上位装置へ出力し、また、そうでない場合は、前記隣接する無線基地局から復調された信号を上位装置へ出力する処理を有することを特徴とする無線通信方法。
【請求項８】
請求項６に記載の無線通信方法において、
前記無線基地局にて、前記合成された信号の受信状態に基づいて、前記端末の送信電力を制御するための制御信号を生成する処理を有することを特徴とする無線通信方法。
【発明の詳細な説明】
【技術分野】
【０００１】
本発明は、無線通信システム、無線基地局及び無線通信方法に関し、特に無線基地局間においてハンドオーバー処理を行う無線通信システム、無線基地局及び無線通信方法に関する。
【背景技術】
【０００２】
一般的に無線通信システムにおいて、端末が移動することにより行われるハンドオーバー処理は、複数の無線基地局を制御する無線基地局制御装置における手順が必要となっている。【０００３】
図１は、３つの無線基地局が設置され、それぞれの無線基地局がカバーするエリアの一構成例を示す図である。【０００４】
本構成例は図１に示すように、無線基地局５１０，５２０，５３０が隣接されて設置されており、無線基地局５１０がカバーするエリアが３つのセル５１９−１〜５１９−３に分かれている。また、無線基地局５２０がカバーするエリアが３つのセル５２９−１〜５２９−３に分かれている。また、無線基地局５３０がカバーするエリアが３つのセル５３９−１〜５３９−３に分かれている。【０００５】
図２は、従来の無線通信システムの一構成例を示す図である。【０００６】
本従来例における無線通信システムは図２に示すように、図１に示した無線基地局５１０，５２０，５３０が、それらを制御する無線基地局制御装置５００にそれぞれ接続されている。さらに、無線基地局５１０には、アンテナ５１１−１〜５１１−３と、受信増幅部５１２−１〜５１２−３と、復調部５１４とが設けられている。アンテナ５１１−１は、図１に示したセル５１９−１内に端末（不図示）が存在する場合に当該端末と通信を行うために信号の送受信を行う。アンテナ５１１−２は、図１に示したセル５１９−２内に端末が存在する場合に当該端末と通信を行うために信号の送受信を行う。アンテナ５１１−３は、図１に示したセル５１９−３内に端末が存在する場合に当該端末と通信を行うために信号の送受信を行う。受信増幅部５１２−１〜５１２−３は、アンテナ５１１−１〜５１１−３にて受信された信号をそれぞれ増幅する。復調部５１４は、受信増幅部５１２−１〜５１２−３にて増幅された信号を復調する。また、無線基地局５２０には、アンテナ５２１−１〜５２１−３と、受信増幅部５２２−１〜５２２−３と、復調部５２４とが設けられている。アンテナ５２１−１は、図１に示したセル５２９−１内に端末が存在する場合に当該端末と通信を行うために信号の送受信を行う。アンテナ５２１−２は、図１に示したセル５２９−２内に端末が存在する場合に当該端末と通信を行うために信号の送受信を行う。アンテナ５２１−３は、図１に示したセル５２９−３内に端末が存在する場合に当該端末と通信を行うために信号の送受信を行う。受信増幅部５２２−１〜５２２−３は、アンテナ５２１−１〜５２１−３にて受信された信号をそれぞれ増幅する。復調部５２４は、受信増幅部５２２−１〜５２２−３にて増幅された信号を復調する。また、無線基地局５３０には、アンテナ５３１−１〜５３１−３と、受信増幅部５３２−１〜５３２−３と、復調部５３４とが設けられている。アンテナ５３１−１は、図１に示したセル５３９−１内に端末が存在する場合に当該端末と通信を行うために信号の送受信を行う。アンテナ５３１−２は、図１に示したセル５３９−２内に端末が存在する場合に当該端末と通信を行うために信号の送受信を行う。アンテナ５３１−３は、図１に示したセル５３９−３内に端末が存在する場合に当該端末と通信を行うために信号の送受信を行う。受信増幅部５３２−１〜５３２−３は、アンテナ５３１−１〜５３１−３にて受信された信号をそれぞれ増幅する。復調部５３４は、受信増幅部５３２−１〜５３２−３にて増幅された信号を復調する。【０００７】
図２に示した構成においては、図１に示したセル５１９−３からセル５２９−１へ端末が移動してハンドオーバー状態になった場合、無線基地局５１０にて受信された信号と無線基地局５２０にて受信された信号とが、無線基地局制御装置５００にてそれぞれ選択合成される。あるいは、セル５２９−３からセル５３９−１へ端末が移動してハンドオーバー状態になった場合、無線基地局５２０にて受信された信号と無線基地局５３０にて受信された信号とが、無線基地局制御装置５００にてそれぞれ選択合成される。【０００８】
また、各無線基地局５１０，５２０，５３０にて、受信された信号の受信状態に基づいて、端末の送信電力制御信号がそれぞれ生成される。生成された送信電力制御信号は、各無線基地局５１０，５２０，５３０から端末へそれぞれ送信される。そして、端末にて受信された複数の送信電力制御信号のうち送信電力を最も低く設定できる送信電力制御信号に応じて電力制御が行われ、制御された送信電力で上りデータが端末から送信される。【０００９】
また、複数の周辺基地局と、移動体交換局に接続された基幹基地局とを設け、端末から送信された上り電波が周辺基地局にて中継されて当該周辺基地局から送信された電波と、端末から送信された上り電波の直接波とを基幹基地局にて受信し、受信された電波のうち最も受信状態の良い経路の受信データを選択する方法が考えられている（例えば、特許公開１９９５−２６４６５１号公報参照。）。【００１０】
しかしながら、上述したような従来の無線通信システムにおいては、ハンドオーバー処理を行うためには、無線基地局制御装置における手順が必要であり、ネットワーク構成を簡素化させることが困難であるという問題点がある。また、端末にて送信電力を最も低く設定できる送信電力制御信号応じて電力制御が行われるため、いずれか１つの無線基地局で十分な受信レベルとなるような送信レベルで上りデータが送信されることにより、ハンドオーバー中の他の無線基地局で受信された信号の電力は有効に利用されず、上り回線の無線容量を無駄に低下させてしまうという問題点がある。【００１１】
また、上記特許ドキュメントに記載された方法においては、無線基地局制御装置に相当する基幹基地局以外の周辺基地局では、端末から送信された上りデータの選択・合成を行うことができないという問題点がある。
【発明の開示】
【００１２】
本発明は、上述したような課題を解決するため、ネットワーク構成を簡素化できる無線通信方式、無線基地局及び無線通信方法を提供することを目的とする。
【００１３】
上記目的を達成するために本発明は、
端末と通信を行う複数の隣接する無線基地局を有する無線通信システムであって、
前記無線基地局は、
前記端末から送信された信号を受信するアンテナと、
該アンテナにて受信された信号を増幅する受信増幅手段と、
該受信増幅手段にて増幅された信号を隣接する無線基地局へ分配する分配手段と、
前記隣接する無線基地局が有する分配手段にて分配された信号と当該無線基地局が有する前記受信増幅手段にて増幅された信号とを合成して復調する復調手段とを有する。
【００１４】
また、前記隣接する無線基地局は、当該無線基地局が有する前記分配手段にて分配された信号と前記隣接する無線基地局が有する受信増幅手段にて増幅された信号とを合成して復調する復調手段を有することを特徴とする。
【００１５】
また、当該無線基地局と前記隣接する無線基地局とのどちらか一方から復調された信号を上位装置へ出力することを特徴とする。
【００１６】
また、前記端末から送信されて当該無線基地局が有する前記アンテナにて受信された信号の受信電力が前記端末から送信されて前記隣接する無線基地局が有するアンテナにて受信された信号の受信電力よりも大きな場合、当該無線基地局から復調された信号を上位装置へ出力し、また、そうでない場合は、前記隣接する無線基地局から復調された信号を上位装置へ出力することを特徴とする。
【００１７】
また、前記無線基地局は、前記合成された信号の受信状態に基づいて、前記端末の送信電力を制御するための制御信号を生成することを特徴とする。
【００１８】
また、端末から送信された信号を受信するアンテナと、該アンテナにて受信された信号を増幅する受信増幅手段と、該受信増幅手段にて増幅された信号を復調する復調手段とを有する無線基地局において、
前記受信増幅手段にて増幅された信号を隣接する無線基地局へ分配する分配手段を有し、
前記復調手段は、前記隣接する無線基地局が有する分配手段にて分配された信号と当該無線基地局が有する前記受信増幅手段にて増幅された信号とを合成することを特徴とする。
【００１９】
また、前記端末から送信されて当該無線基地局が有する前記アンテナにて受信された信号の受信電力が前記端末から送信されて前記隣接する無線基地局が有するアンテナにて受信された信号の受信電力よりも大きな場合、当該無線基地局から復調された信号を上位装置へ出力することを特徴とする。
【００２０】
また、前記合成された信号の受信状態に基づいて、前記端末の送信電力を制御するための制御信号を生成することを特徴とする。
【００２１】
また、端末と複数の隣接する無線基地局とにおいて通信を行う無線通信方法であって、
前記端末から送信されて前記無線基地局にて受信された信号を増幅する処理と、
前記増幅された信号を隣接する無線基地局へ分配する処理と、
前記隣接する無線基地局にて分配された信号と当該無線基地局にて増幅された信号とを合成する処理と、
前記合成された信号を復調する処理とを有する。
【００２２】
また、当該無線基地局と前記隣接する無線基地局とのどちらか一方から復調された信号を上位装置へ出力する処理を有することを特徴とする。
【００２３】
また、前記端末から送信されて当該無線基地局にて受信された信号の受信電力が前記端末から送信されて前記隣接する無線基地局にて受信された信号の受信電力よりも大きな場合、当該無線基地局から復調された信号を上位装置へ出力し、また、そうでない場合は、前記隣接する無線基地局から復調された信号を上位装置へ出力する処理を有することを特徴とする。
【００２４】
また、前記無線基地局にて、前記合成された信号の受信状態に基づいて、前記端末の送信電力を制御するための制御信号を生成する処理を有することを特徴とする。
【００２５】
上記のように構成された本発明においては、端末から送信された信号が複数の隣接する無線基地局にて受信され、当該無線基地局にて受信された信号が増幅され、増幅された信号が隣接する無線基地局へ分配され、隣接する無線基地局にて分配された信号と自無線基地局にて増幅された信号とが合成されて復調される。
【００２６】
これにより、ハンドオーバー中に複数の無線基地局にて受信された信号が１つの無線基地局において復調されて上位装置へ出力されるため、無線基地局制御装置にて複数の無線基地局から送信された信号の選択合成が不要となり、ネットワーク構成を簡素化するための無線基地局制御装置の削減の１つの手段となる。また、端末から送信され、複数の無線基地局において受信された受信信号が、１つの無線基地局にて合計され、その合計された受信状態に基づいて当該端末の送信電力を制御するための制御信号が生成されて当該端末に送信されるため、端末に制御信号を送信するための送信電力を低く抑えることができ、上りの無線容量を増加させることができる。
【００２７】
以上説明したように本発明においては、端末から送信された信号を複数の隣接する無線基地局にて受信し、当該無線基地局にて受信された信号を増幅し、増幅された信号を隣接する無線基地局へ分配し、隣接する無線基地局にて分配された信号と自無線基地局にて増幅された信号とを合成して復調する構成としたため、ネットワーク構成を簡素化できる。
【図面の簡単な説明】
【００２８】
【図１】３つの無線基地局が設置され、それぞれの無線基地局がカバーするエリアの一構成例を示す図である。
【００２９】
【図２】従来の無線通信システムの一構成例を示す図である。
【００３０】
【図３】本発明の無線基地局が３つ設置され、それぞれの無線基地局がカバーするエリアの一構成例を示す図である。
【００３１】
【図４】本発明の無線通信システムの実施の一形態を示す図である。
【００３２】
【図５】図３に示した構成及び図４に示した形態における無線通信方法を説明するためのフローチャートである。
【発明を実施するための最良の形態】
【００３３】
以下に、本発明の実施の形態について図面を参照して説明する。【００３４】
図３は、本発明の無線基地局が３つ設置され、それぞれの無線基地局がカバーするエリアの一構成例を示す図である。【００３５】
本構成例は図３に示すように、無線基地局１１０，１２０，１３０が隣接されて設置されており、無線基地局１１０がカバーするエリアが３つのセル１１９−１〜１１９−３に分かれている。また、無線基地局１２０がカバーするエリアが３つのセル１２９−１〜１２９−３に分かれている。また、無線基地局１３０がカバーするエリアが３つのセル１３９−１〜１３９−３に分かれている。【００３６】
図４は、本発明の無線通信システムの実施の一形態を示す図である。【００３７】
本形態は図４に示すように、無線基地局１１０，１２０，１３０が設置されている。さらに、無線基地局１１０には、アンテナ１１１−１〜１１１−３と、受信増幅部１１２−１〜１１２−３と、分配部１１３−１〜１１３−２と、復調部１１４とが設けられている。アンテナ１１１−１は、図３に示したセル１１９−１内に端末（不図示）が存在する場合に当該端末と通信を行うために信号の送受信を行う。アンテナ１１１−２は、図３に示したセル１１９−２内に端末が存在する場合に当該端末と通信を行うために信号の送受信を行う。アンテナ１１１−３は、図３に示したセル１１９−３内に端末が存在する場合に当該端末と通信を行うために信号の送受信を行う。受信増幅部１１２−１〜１１２−３は、アンテナ１１１−１〜１１１−３にて受信された信号をそれぞれ増幅する。分配部１１３−１は、アンテナ１１１−１にて受信された信号の受信電力の値と受信増幅部１１２−１にて増幅された信号とを隣接する無線基地局（不図示）と復調部１１４とへ分配する。分配部１１３−２は、アンテナ１１１−３にて受信された信号の受信電力の値と受信増幅部１１２−３にて増幅された信号とを隣接する無線基地局１２０と復調部１１４とへ分配する。復調部１１４は、受信増幅部１１２−１〜１１２−３にて増幅された信号と隣接する無線基地局にて分配されて送信された信号とを合成及び復調する。また、無線基地局１２０には、アンテナ１２１−１〜１２１−３と、受信増幅部１２２−１〜１２２−３と、分配部１２３−１〜１２３−２と、復調部１２４とが設けられている。アンテナ１２１−１は、図３に示したセル１２９−１内に端末が存在する場合に当該端末と通信を行うために信号の送受信を行う。アンテナ１２１−２は、図３に示したセル１２９−２内に端末が存在する場合に当該端末と通信を行うために信号の送受信を行う。アンテナ１２１−３は、図３に示したセル１２９−３内に端末が存在する場合に当該端末と通信を行うために信号の送受信を行う。受信増幅部１２２−１〜１２２−３は、アンテナ１２１−１〜１２１−３にて受信された信号をそれぞれ増幅する。分配部１２３−１は、アンテナ１２１−１にて受信された信号の受信電力の値と受信増幅部１２２−１にて増幅された信号とを隣接する無線基地局１１０と復調部１２４とへ分配する。分配部１２３−２は、アンテナ１２１−３にて受信された信号の受信電力の値と受信増幅部１２２−３にて増幅された信号とを隣接する無線基地局１３０と復調部１２４とへ分配する。復調部１２４は、受信増幅部１２２−１〜１２２−３にて増幅された信号と隣接する無線基地局にて分配されて送信された信号とを合成及び復調する。また、無線基地局１３０には、アンテナ１３１−１〜１３１−３と、受信増幅部１３２−１〜１３２−３と、分配部１３３−１〜１３３−２と、復調部１３４とが設けられている。アンテナ１３１−１は、図３に示したセル１３９−１内に端末が存在する場合に当該端末と通信を行うために信号の送受信を行う。アンテナ１３１−２は、図３に示したセル１３９−２内に端末が存在する場合に当該端末と通信を行うために信号の送受信を行う。アンテナ１３１−３は、図３に示したセル１３９−３内に端末が存在する場合に当該端末と通信を行うために信号の送受信を行う。受信増幅部１３２−１〜１３２−３は、アンテナ１３１−１〜１３１−３にて受信された信号をそれぞれ増幅する。分配部１３３−１は、アンテナ１３１−１にて受信された信号の受信電力の値と受信増幅部１３２−１にて増幅された信号とを隣接する無線基地局１２０と復調部１３４とへ分配する。分配部１３３−２は、アンテナ１３１−３にて受信された信号の受信電力の値と受信増幅部１３２−３にて増幅された信号とを隣接する無線基地局（不図示）と復調部１３４とへ分配する。復調部１３４は、受信増幅部１３２−１〜１３２−３にて増幅された信号と隣接する無線基地局にて分配されて送信された信号とを合成及び復調する。【００３８】
以下に、上記のように構成された形態における無線通信方法について説明する。【００３９】
図５は、図３に示した構成及び図４に示した形態における無線通信方法を説明するためのフローチャートである。【００４０】
ここで端末は、図３に示した矢印のように、セル１１９−１、セル１１９−２、セル１１９−３、セル１２９−１、セル１２９−２、セル１２９−３、セル１３９−１、セル１３９−２、セル１３９−３へと移動しているとする。【００４１】
端末がセル１１９−１に存在する場合、無線基地局１１０のアンテナ１１１−１にて端末との信号の送受信が行われる。アンテナ１１１−１にて受信された信号は、受信増幅部１１２−１にて増幅される。ステップ１にて、受信増幅部１１２−１にて増幅された信号は、分配部１１３−１にて隣接する無線基地局（不図示）に分配されると同時に、復調部１１４にて復調される。【００４２】
端末が移動して、セル１１９−２のエリアに入ると、アンテナ１１１−２においても端末から送信された信号が受信される。そして、受信された信号が受信増幅部１１２−２にて増幅される。受信増幅部１１２−２にて増幅された信号と受信増幅部１１２−１にて増幅された信号とが復調部１１４にて合成され、復調される。【００４３】
その後、端末がセル１１９−１のエリアから出ると、端末から送信された信号がアンテナ１１１−１にて受信されなくなる。【００４４】
そして、端末がセル１１９−３のエリアに入ると、アンテナ１１１−３においても端末から送信された信号が受信される。そして、受信された信号が受信増幅部１１２−３にて増幅される。受信増幅部１１２−３にて増幅された信号と受信増幅部１１２−２にて増幅された信号とが復調部１１４にて合成され、復調される。また、受信増幅部１１２−３にて増幅された信号が、ステップ２にて、分配部１１３−２にて無線基地局１２０に分配される。【００４５】
その後、端末がセル１１９−２のエリアから出ると、端末から送信された信号がアンテナ１１１−２にて受信されなくなる。【００４６】
さらに、端末が移動してセル１２９−１のエリアに入ると、アンテナ１２１−１においても端末から送信された信号が受信される。そして、受信された信号が受信増幅部１２２−１にて増幅される。ステップ３にて、受信増幅部１２２−１にて増幅された信号が、分配部１２３−１にて無線基地局１１０に分配され、分配部１２３−１にて分配された信号と受信増幅部１１２−３にて増幅された信号とが復調部１１４にて合成され、復調される。このとき、アンテナ１１１−３にて受信された信号の受信電力とアンテナ１２１−１にて受信された信号の受信電力とが、復調部１１４及び復調部１２４にて比較される。【００４７】
その後、アンテナ１２１−１にて受信された信号の受信電力がアンテナ１１１−３にて受信された信号の受信電力よりも大きくなったと判断されると、ステップ４にて、分配部１１３−１にて分配された信号と受信増幅部１２２−１にて増幅された信号とが無線基地局１２０の復調部１２４にて合成されて復調され、同時に、無線基地局１１０の復調部１１４における復調が終了する。つまり、端末と無線基地局１２０との間の距離が、端末と無線基地局１１０との間の距離よりも短くなったと判断されると、分配部１１３−１にて分配された信号と受信増幅部１２２−１にて増幅された信号とが無線基地局１２０の復調部１２４にて合成されて復調され、同時に、無線基地局１１０の復調部１１４における復調が終了することとなる。【００４８】
その後、端末がセル１１９−３のエリアから出ると、端末から送信された信号がアンテナ１１１−３にて受信されなくなる。【００４９】
端末が移動して、セル１２９−２のエリアに入ると、アンテナ１２１−２においても端末から送信された信号が受信される。そして、受信された信号が受信増幅部１２２−２にて増幅される。受信増幅部１２２−２にて増幅された信号と受信増幅部１２２−１にて増幅された信号とが復調部１２４にて合成され、復調される。【００５０】
その後、端末がセル１２９−１のエリアから出ると、端末から送信された信号がアンテナ１２１−１にて受信されなくなる。【００５１】
そして、端末がセル１２９−３のエリアに入ると、アンテナ１２１−３においても端末から送信された信号が受信される。そして、受信された信号が受信増幅部１２２−３にて増幅される。受信増幅部１２２−３にて増幅された信号と受信増幅部１２２−２にて増幅された信号とが復調部１２４にて合成され、復調される。また、ステップ５にて、受信増幅部１２２−３にて増幅された信号が、分配部１２３−２にて無線基地局１３０に分配される。【００５２】
その後、端末がセル１２９−２のエリアから出ると、端末から送信された信号がアンテナ１２１−２にて受信されなくなる。【００５３】
さらに、端末が移動してセル１３９−１のエリアに入ると、アンテナ１３１−１においても端末から送信された信号が受信される。そして、受信された信号が受信増幅部１３２−１にて増幅される。受信増幅部１３２−１にて増幅された信号が、ステップ６にて、分配部１３３−１にて無線基地局１２０に分配され、分配部１３３−１にて分配された信号と受信増幅部１２２−３にて増幅された信号とが復調部１２４にて合成され、復調される。このとき、アンテナ１２１−３にて受信された信号の受信電力とアンテナ１３１−１にて受信された信号の受信電力とが、復調部１２４及び復調部１３４にて比較される。【００５４】
その後、アンテナ１３１−１にて受信された信号の受信電力がアンテナ１２１−３にて受信された信号の受信電力よりも大きくなったと判断されると、ステップ７にて、分配部１２３−１にて分配された信号と受信増幅部１３２−１にて増幅された信号とが無線基地局１３０の復調部１３４にて合成されて復調され、同時に、無線基地局１２０の復調部１２４における復調が終了する。つまり、端末と無線基地局１３０との間の距離が、端末と無線基地局１２０との間の距離よりも短くなったと判断されると、分配部１２３−１にて分配された信号と受信増幅部１３２−１にて増幅された信号とが無線基地局１３０の復調部１３４にて合成されて復調され、同時に、無線基地局１２０の復調部１２４における復調が終了することとなる。【００５５】
その後、端末がセル１２９−３のエリアから出ると、端末から送信された信号がアンテナ１２１−３にて受信されなくなる。【００５６】
端末が移動して、セル１３９−２のエリアに入ると、アンテナ１３１−２においても端末から送信された信号が受信される。そして、受信された信号が受信増幅部１３２−２にて増幅される。受信増幅部１３２−２にて増幅された信号と受信増幅部１３２−１にて増幅された信号とが復調部１３４にて合成され、復調される。【００５７】
その後、端末がセル１３９−１のエリアから出ると、端末から送信された信号がアンテナ１３１−１にて受信されなくなる。【００５８】
そして、端末がセル１３９−３のエリアに入ると、アンテナ１３１−３においても端末から送信された信号が受信される。そして、受信された信号が受信増幅部１３２−３にて増幅される。受信増幅部１３２−３にて増幅された信号と受信増幅部１３２−２にて増幅された信号とが復調部１３４にて合成され、復調される。また、受信増幅部１３２−３にて増幅された信号が、ステップ８にて、分配部１３３−２にて隣接する無線基地局（不図示）に分配される。【００５９】
ここで、復調を行う無線基地局の切り替え手順は、以下の手順が考えられる。【００６０】
セル１１９−３とセル１２９−１とにおいてハンドオーバー受信しているときに、端末によってセル１２９−２のハンドオーバーが追加で要求された場合、無線基地局１１０から無線基地局１２０へ、その旨が通知され、セル１１９−３とセル１２９−１と１２９−２とをハンドオーバー受信するような指示が送信される。そして、タイミングを合わせて、無線基地局１１０から上位装置への出力が停止され、同時に無線基地局１２０から上位装置への出力が開始される。【００６１】
さらに、復調を行う無線基地局の切り替え手順は、以下の手順も考えられる。【００６２】
アンテナ１１１−３とアンテナ１２１−１とにおいて、ハンドオーバー受信されているとき、当該端末から送信されてアンテナ１１１−３にて受信されている信号の受信電力が当該端末から送信されてアンテナ１２１−１にて受信されている信号の受信電力よりも大きな場合、無線基地局１１０の復調部１１４にて合成及び復調が行われ、無線基地局１１０から上位装置へ復調された信号の出力が行われる。一方、そうでない場合は、無線基地局１２０の復調部１２４にて合成及び復調が行われ、無線基地局１２０から上位装置へ復調された信号の出力が行われる。アンテナ１２１−３とアンテナ１３１−１との場合についても同様である。【００６３】
また、一般に端末から送信された信号の無線基地局における受信状態に基づいて、無線基地局から端末に対して送信電力を制御するための制御信号が送信される。本発明においては、端末の復調を行っている１つの無線基地局にて、復調に用いているハンドオーバー中の隣接する複数の無線基地局にて受信されて分配された信号も含めた合計の受信状態に基づいて送信電力の制御信号が生成され、端末へ送信されることが可能である。これにより、端末に制御信号を送信するための送信電力を低く抑えることができ、上りの無線容量を増加させることができる。【００６４】
なお、上述したセルが重複するエリアは、端末がハンドオーバー状態になるエリアとする。【００６５】
また、無線基地局の数が３つの場合を例に挙げて説明したが、無線基地局の数は制限せず、複数であれば同様の動作が実現可能であることは言うまでもない。
【図１】
0004678028.tif 000002
【図２】
0004678028.tif 000003
【図３】
0004678028.tif 000004
【図４】
0004678028.tif 000005
【図５】
0004678028.tif 000006